(57)【要約】【課題】室の開放部を閉止する扉体の移動時における室の開放部側に設けられている凹溝の上表面を自動的に閉止し室の床レベルと地表面と面一にして重量物の室への出入を安全，容易にする床レベル保持機構体を提供する。【解決手段】扉体２００の開放側への移動によりこれに連結しているチェーン１１が移動し、チェーン１１に支持駒６を介して保持されている支持板体４やローラ５が支持板７の上面側に移動し、凹溝４００の上表面を塞ぐ状態となる。【選択図】図２
0003116981.tif 000002
【実用新案登録請求の範囲】
【請求項１】
室の扉体の開閉を可能にすべく前記室の開口側に凹設されている凹溝内に配置され前記室側の床レベルと室外の床レベルを一致させるための床レベル保持機構部であって、該床レベル保持機構部は、扉体の開閉方向に沿って前記凹溝内に配置されるフレーム機構部及びチェーン機構部と、前記扉体と前記フレーム機構部との間に架設され前記フレーム機構部の支持板に沿って摺動自在に保持されると共に前記扉体を前記開閉方向と直角方向に移動可能に支持し前記チェーン機構部に連結される扉体摺動保持機構部と、前記チェーン機構部のチェーンに基端側を枢支されると共に上方側に支持軸を有する複数個の支持駒と、この支持駒の前記支持軸に基端側を枢支され上方側に前記凹溝の巾寸法に見合う縦巾を有する支持板体と、前記支持駒の支持軸に枢支され前記凹溝の巾寸法に見合う軸長を有し前記フレーム機構部の支持板に保持されるローラとを有するものからなり、前記支持板体は前記ローラをほぼ覆って等ピッチで配置されその上面が前記凹溝の表面とほぼ面一に配置されることを特徴とする床レベル保持機構体。
【請求項２】
前記凹溝は、前記扉体の開閉方向の巾寸法のほぼ２倍の溝長さからなり、その溝巾は前記扉体の開閉時における開閉方向と直交する方向の移動長よりやや大幅のものからなり、前記凹溝内に配置される前記ローラ及び支持板体は前記溝長さの約１／２の範囲に配置されることを特徴とする請求項１に記載の床レベル保持機構体。
【請求項３】
前記支持部材及びローラは、この上面を通過して前記室に出入する重量物の重さに耐える強度を有するものからなることを特徴とする請求項１又は２に記載の床レベル保持機構体。
【考案の詳細な説明】
【技術分野】
【０００１】
本考案は、室の扉体の開閉場所の下面に形成されている凹溝の上面を扉体の開放及び開放途中時において室内の床レベルと同一にするための床レベル保持機構体に係り、特に、床レベルの保持が扉体の開閉動作と同期して自動的に形成され、円滑に動作でき取扱性も良好な床レベル保持機構体に関する。
【背景技術】
【０００２】
図６に模式的に示すように、室３００にはこの開放側を遮断する扉体２００が設けられている。室３００への出入はこの扉体２００の開閉によって行われる。扉体２００による室３００の遮断を確実にするためには図示のように扉体２００は室３００内に嵌り込む突出部２９と室３００の外壁面３０に密接して室３００の密閉を確実のものにする段付部３１が形成される。室３００の床レベル３２は地表面２８と面一であるが、扉体２００に段付部３１があるため室３００と地表面２８との間には凹溝４００が形成される必要がある。この凹溝４００はその溝深さ（ｈ）が段付部３１の高さよりやや高い寸法が必要であり、縦巾（ａ）としては突出部２９が室３００内から外れる長さ以上の寸法が必要である。また、凹溝４００の溝長さとしては図示していないが扉体２００の全巾の約２倍の長さが必要となる。図７は扉体２００の開放時の様子を示した模式図であり、扉体２００は図示のように凹溝４００の縦巾（ａ）の方向にまず移動し、図８に示すように凹溝４００内から脱出するよう移動した後に凹溝４００の溝長さ方向に移動する。これにより、図８に示すように重量物（例えば、車９）等が室３００内に出入可能になる。一方、加熱室の前面を遮断するドアに関する公知文献として「特許文献１」が挙げられるが、この図１に示すようにこのドア（３）はその下面側が地表面より下方にあり、前記と同様に凹溝が形成される必要がある。
【特許文献１】特開２０００−９７４４１号（図１）
【考案の開示】
【考案が解決しようとする課題】
【０００３】
前記のように室３００には扉体２００を移動及び開閉するための凹溝４００が必要である。一方、この凹溝４００があると扉体２００の開放時において室３００の前面にある凹溝４００が露出し、車９が円滑に出入できない問題点がある。そのため、扉体２００の開放時には図９に示すように凹溝４００の上面に閉止体３３を設け、室３００の床レベル３２と地表面２８とを面一にすることが必要となる。この閉止体３３としては任意のものでよいが、室３００内の車９等の出入を効率的に、かつ安全に行うためには、閉止体３３による凹溝４００の閉止が扉体２００の開閉動作と同期して円滑に、かつ確実に行われ、かつ閉止体３３が車９等の重量物の重さに耐える強度を有するものであることが必要となる。しかしながら、従来の閉止体３３は扉体２００が全開しない間は凹溝４００を閉止できない形状のものであり、扉体２００の中途開き時には車９等が室３００に出入できない問題点があった。
【０００４】
本考案は、以上の事情に鑑みて考案されたものであり、室の開放側に設けられている扉体の開閉時において凹溝の上面を覆って床レベルと地表面とを面一にする床レベル保持機構体であって、この床レベルの保持が扉体の開閉動作に同期して円滑に行われ、操作性，取扱性もよく、かつその上面を通過する重量物の重量に十分に耐える強度を有する床レベル保持機構体を提供することを目的とする。
【課題を解決するための手段】
【０００５】
本考案は、以上の目的を達成するために、請求項１の考案は、室の扉体の開閉を可能にすべく前記室の開口側に凹設されている凹溝内に配置され前記室側の床レベルと室外の床レベルを一致させるための床レベル保持機構部であって、該床レベル保持機構部は、扉体の開閉方向に沿って前記凹溝内に配置されるフレーム機構部及びチェーン機構部と、前記扉体と前記フレーム機構部との間に架設され前記フレーム機構部の支持板に沿って摺動自在に保持されると共に前記扉体を前記開閉方向と直角方向に移動可能に支持し前記チェーン機構部に連結される扉体摺動保持機構部と、前記チェーン機構部のチェーンに基端側を枢支されると共に上方側に支持軸を有する複数個の支持駒と、この支持駒の前記支持軸に基端側を枢支され上方側に前記凹溝の巾寸法に見合う縦巾を有する支持板体と、前記支持駒の支持軸に枢支され前記凹溝の巾寸法に見合う軸長を有し前記フレーム機構部の支持板に保持されるローラとを有するものからなり、前記支持板体は前記ローラをほぼ覆って等ピッチで配置されその上面が前記凹溝の表面とほぼ面一に配置されることを特徴とする。
【０００６】
また、請求項２の考案は、前記凹溝は、前記扉体の開閉方向の巾寸法のほぼ２倍の溝長さからなり、その溝巾は前記扉体の開閉時における開閉方向と直交する方向の移動長よりやや大幅のものからなり、前記凹溝内に配置される前記ローラ及び支持板体は前記溝長さの約１／２の範囲に配置されることを特徴とする。
【０００７】
また、請求項３の考案は、前記支持部材及びローラは、この上面を通過して前記室に出入する重量物の重さに耐える強度を有するものからなることを特徴とする。
【考案の効果】
【０００８】
本考案の請求項１及び３の床レベル保持機構体によれば、扉体を開放動作するとこれに連結されている扉体摺動保持機構部を介してチェーン機構部が動作し、この支持駒に枢支されている支持板体及びローラが扉体の開閉動作と同期して移動する。支持板体及びローラは凹溝の上面を閉止するように配設されているため凹溝の上面は支持板体とローラにより塞がり、車等の重量物はこの上を通過して室内に入ることができる。なお、支持板体やローラはフレーム機構部の支持板により支持されており、かつそれ自体としても剛性を有するため、重量物がこの上に乗っても十分に耐えることができる。以上により扉体の開閉に同期して凹溝の閉止ができ室内への重量物の出入が安全にできる。
【０００９】
また、本考案の請求項２の床レベル保持機構体によれば、凹溝の溝長が扉体の約２倍あり、支持板体やローラは扉体の巾寸法に見合う長さだけ凹溝内に配置されているため、重量物の通過する凹溝の部分のみが支持板体やローラにより閉止され、余分に部材を配置せず、低コストに実施することができる。また、凹溝の縦溝巾が扉体の溝長さと直角方向への移動長よりもやや大幅のため、扉体のその方向への移動ができる。
【考案を実施するための最良の形態】
【００１０】
以下、本考案の床レベル保持機構体の実施の形態を図面を参照して詳述する。図１は室３００の開口部を開閉する扉体２００と、扉体２００の開閉動作によって作動する本考案の床レベル保持機構体１００の全体概要構造を示すものである。
床レベル保持機構体１００は大別して、支持板７（図２）を中間に架設するフレーム機構部１と、チェーン機構部２と、扉体摺動保持機構部３と、支持駒６に枢支される支持板体４及びローラ５等とからなる。
【００１１】
扉体２００はその上方側に配設される扉体の前後動及び左右動を可能にする移動機構部５００（詳細構造の説明は省略する）により垂下支持される。これにより扉体２００の開閉方向と直角方向の前後動と図示の左右動（Ｂ矢視）方向に移動する。扉体２００の開閉は図示のＢ方向である。また、図１（ａ），（ｂ）は扉体２００の閉止及び開放状態を示すものであり、後に説明する支持板体４やローラ５はフレーム機構部１の支持板７の下方に配置されている状態を示す。この状態から扉体２００を開放方向（図の右方向）に移動すると室３００の出入口が開放されると共に支持板体４やローラ５がフレーム機構部１の支持板７の上面側に回り込み、凹溝４００の上面を閉止することになる。
【００１２】
フレーム機構部１は、図１乃至図５等に示すように凹溝４００内にすっぽり収納される枠体８と、枠体８のほぼ中間に溝長さ方向に沿って架設されて固定されている支持板７等とからなる。なお、支持板７は、凹溝４００上に乗る重量物（車９）の重さに耐える強度を有するものからなる。
【００１３】
チェーン機構部２は図２等に示すように、フレーム機構部１の枠体８内の両端近傍に配置されるスプロケット１０，１０（図５に詳細構造を示す）と、この間に架設されるチェーン１１等とからなる。
【００１４】
次に、扉体摺動保持機構部３を図２、図４、図５等により説明する。まず、扉体２００の下方の両端側にはブラケット１２，１３が固定され、このブラケット１２，１３にはガイドローラ１４，１５が固定される。一方、ガイドローラ１４，１５が摺動可能に挿入されるガイドレール１６，１７が扉体２００の開閉方向と直交する方向に沿って配設され、このガイドレール１６，１７の下面側には保持板１８，１９の上端が固定される。また、保持板１８，１９にはチェーン１１の両端が夫々連結固定されるためのチェーン連結板２０，２１が固定される。また、保持板１８，１９の下方側にはガイドローラ２２，２３が設けられている。なお、ガイドローラ２２，２３は夫々４個のローラからなり、互いに間隔を隔てて相対向して配置される。このガイドローラ２２，２３はフレーム機構部１の支持板７を挟持すべく配置される。
【００１５】
図２，図３等に示すように、チェーン１１のチェーンピース２４にはＵ字状の支持駒６が枢支される。この支持駒６は等ピッチで複数個チェーン１１に沿って配設される。支持駒６の上端側には相対向する支持駒６，６間に架設される軸２５の両端が保持される。
【００１６】
軸２５にはローラ５が枢支される。一方、支持板体４は、相対向する支持駒６，６間に架設される軸２５の両端にその下端側を枢支する補強支持板２６と、この補強支持板２６の上面に固定され補強支持板２６，２６間に架設されて固定される上板２７等とからなる。なお、補強保持板２６は枢支位置から上面に向かって傾斜する形状のものからなり、その上面に固定される上板２７は支持駒６の支持中心からチェーン１１の長手方向にややずれた位置に配置される。また、上板２７は図３に示すようにその上表面がローラ５の外周とほぼ同一位置に配置され、隣接する支持板体４，４の上板２７，２７間にはローラ５の外周の一部が露出している。また、ローラ５の外周は支持板６の上面に当接して支持される。以上により、これ等は地表面２８と面一の位置に配置され凹溝４００の上方の開口面は支持板体４とローラ５により閉止されることになる。
【００１７】
次に、本考案の床レベル保持機構体１００による凹溝４００の開閉動作について説明する。
まず、扉体の閉止状態では床レベル保持機構体１００は全体として凹溝４００内で待機する。この状態で扉体２００のガイドローラ１４，１５がガイドレール１６，１７に挿入されているため扉体２００は凹溝４００側に引き出され扉体２００は図１のＢ方向に移動可能の状態となる。
【００１８】
次に、扉体２００をＢ方向に移動し室３００の開放動作を行うと図２に示すようにガイドレール１５，１６に固定されているチェーン連結板２０，２１が移動し、チェーン機構部２のチェーン１１が移動する。これにより、チェーン１１に枢支されている支持駒６が動き、支持板体４及びローラ５が図１の支持板７の下方側の位置から順次支持板７の上方側に回り込んで来て、凹溝４００の上表面を塞ぐ位置に来る。従って、扉体２００を完全に開放方向に移動すると、その移動した分に相当して凹溝４００の上表面が閉止されることになる。
【００１９】
支持板体４やローラ５は前記のようにこの状態で強度の高い支持板７上に支持されるため、支持板体４やローラ５の上に車９（重量物）等が乗っても十分に耐えることができ、これ等が凹溝４００の上表面を塞ぎ地表面２８と面一になっているため車９等の室３００への出入が容易に行われる。
一方、扉体２００を室３００の閉止方向に動かすと、前記と逆方向にチェーン１１が動き、支持板体４やローラ５が支持板７の下方に回り込み、図１の状態となり凹溝４００が開放状態となり、扉体２００の室３００側への移動になり室３００が閉止されることになる。
【００２０】
以上により、本考案の床レベル保持機構体１００を採用し扉体２００を移動機構部５００により移動することにより凹溝４００の閉止と開放が自動的に行われ、室３００への車９等の出入が安全に行われることになる。
【００２１】
本考案において、各機構部の構造を説明したが、各構造部の構造は以上の説明の内容に限定するものではなく、同一の技術的範疇のものが適用されることは勿論である。
【産業上の利用可能性】
【００２２】
本考案は室における扉体の移動とこの場合に生ずる凹溝の上表面の開放を自動的に防止して重量物の室への出入を行うすべての室及び扉に対して適用されその利用範囲は広い。
【図面の簡単な説明】
【００２３】
【図１】扉体とこれに係合する室の床レベル保持機構体の全体概要構造を示す正面図であり（ａ）は扉体の閉止時を示し（ｂ）は開放時を示す。
【図２】図１におけるＤ，Ｅ，Ｆ部の詳細構造を示す正面図。
【図３】支持板体やローラとチェーンとの連結構造とこれ等の凹溝閉止時の配置を示す正面図（ａ）及び一部側面図（ｂ）。
【図４】図２のＤ部の側面図。
【図５】図２のＦ部の一部側面図。
【図６】室とこの開放部を閉止する扉体及び凹溝との関係を示す模式的側面図。
【図７】図６の状態から扉体を凹溝方向に移動した状態を示す模式的側面図。
【図８】扉体を移動し、車等が室内に出入し得る状態を示す模式的側面図。
【図９】従来の凹溝の閉止体を示す模式的側面図。
【符号の説明】
【００２４】
１      フレーム機構部
２      チェーン機構部
３      扉体摺動保持機構部
４      支持板体
５      ローラ
６      支持駒
７      支持板
８      枠体
９      車（重量物）
１０    スプロケット
１１    チェーン
１２    ブラケット
１３    ブラケット
１４    ガイドローラ
１５    ガイドローラ
１６    ガイドレール
１７    ガイドレール
１８    保持板
１９    保持板
２０    チェーン連結板
２１    チェーン連結板
２２    ガイドローラ
２３    ガイドローラ
２４    チェーンピース
２５    軸
２６    補強支持板
２７    上板
２８    地表面
１００  床レベル保持機構体
２００  扉体
３００  室
４００  凹溝
５００  移動機構部
【図１】
0003116981.tif 000003
【図２】
0003116981.tif 000004
【図３】
0003116981.tif 000005
【図４】
0003116981.tif 000006
【図５】
0003116981.tif 000007
【図６】
0003116981.tif 000008
【図７】
0003116981.tif 000009
【図８】
0003116981.tif 000010
【図９】
0003116981.tif 000011